(57)【要約】【課題】機能性に優れ、着用者の集中力を妨げることのない、女子武道用アンダーウェアを提供する。【解決手段】上半身用のシャツ部１と、下半身用のスパッツ状のパンツ部２とを備え、これらシャツ部１とパンツ部２とが着用時に一体となるように構成された女子武道用アンダーウェアＡ１であって、シャツ部１は、その内面にブラジャ機能部３を備えており、その衿首５が丸首衿に形成された白色Ｔシャツの形態を有しており、背部における衿首５より下方に、上端から下端まで縦方向に延びるスリット６ａを備え、このスリット６ａには、このスリット６ａを開閉可能なファスナ７ａが付属している【選択図】  図２
0003118857.tif 000002
【実用新案登録請求の範囲】
【請求項１】
上半身用のシャツ部と、下半身用のパンツ部とを備え、これらシャツ部とパンツ部とが着用時に一体となるように構成された女子武道用アンダーウェアであって、
上記シャツ部は、その内面にブラジャ機能部を備えていることを特徴とする、女子武道用アンダーウェア。
【請求項２】
上記シャツ部は、通気性および伸縮性に富んだ材質で形成されており、衿首が丸首衿に形成された白色Ｔシャツの形態を有している、請求項１に記載の女子武道用アンダーウェア。
【請求項３】
上記パンツ部は、通気性および伸縮性に富んだ材質で形成されたスパッツ状である、請求項２に記載の女子武道用アンダーウェア。
【請求項４】
上記シャツ部と上記パンツ部とは、一体に繋げられている、請求項３に記載の女子武道用ダンダーウェア。
【請求項５】
背部における衿首より下方に、上端から下端まで縦方向に延びるスリットを備え、このスリットには、このスリットを開閉可能なファスナが付属している、請求項４に記載の女子武道用アンダーウェア。
【請求項６】
腰部の背側に、横方向に延びるスリットを備え、このスリットには、このスリットを開閉可能なファスナが付属している、請求項４に記載の女子武道用アンダーウェア。
【請求項７】
上記パンツ部は、その内面にショーツ機能部を備えている、請求項５または６に記載の女子武道用アンダーウェア。
【請求項８】
上記パンツ部は、股部が前後に分離、接合可能となっている、請求項４に記載の女子武道用アンダーウェア。
【請求項９】
上記シャツ部と上記パンツ部とは、分離形成されており、連結手段によって自在に接合、分離可能である、請求項３に記載の女子武道用アンダーウェア。
【請求項１０】
上記連結手段として、腰周りを一周するファスナ、または面着ファスナが用いられている、請求項９に記載の女子武道用アンダーウェア。
【請求項１１】
上記パンツ部は、腰部支持ベルトを備えている、請求項５ないし１０のいずれかに記載の女子武道用アンダーウェア。
【考案の詳細な説明】
【技術分野】
【０００１】
本考案は、女子武道用アンダーウェアに関する。
【背景技術】
【０００２】
近年、たとえば、世界的に人気のある柔道などに代表されるスポーツ武道の競技人口は男女ともに増加している。このようなスポーツ武道において、女子選手は、たとえば柔道着のような規定の武道着の下に、白の丸首Ｔシャツ等のアンダーウェアを着用する必要がある。このため、女子選手は、各自の好みに応じて丸首Ｔシャツの下にブラジャをつけたり、スパッツ等を履いたり、また、スパッツ等に加えてさらにショーツを着用したりしていた。このような女子武道において、着用するアンダーウェアに関しては、たとえば、特許文献１に記載されるようなアンダーウェアが考案されている。
【０００３】
しかしながら、これらのアンダーウェアはバラバラの状態であるため、ずれたり、もたついたりすることがあり、たとえば、選手が試合中に激しい動作を行うと、丸首Ｔシャツがまくれあがるなどし、選手が試合に集中出来なくなることがあった。
【０００４】
【特許文献１】特開平８−２０９４１０号公報
【考案の開示】
【考案が解決しようとする課題】
【０００５】
本考案は、試合時に選手が、アンダーウェアの状態に気を取られることなく試合に集中できる女子武道用アンダーウェアの提供を課題としている。
【課題を解決するための手段】
【０００６】
上記の課題を解決するため、本考案では、次の技術的手段を採用した。
【０００７】
本考案において提供される女子武道用アンダーウェアは、上半身用のシャツ部と、下半身用のパンツ部とを備え、これらシャツ部とパンツ部とが着用時に一体となるように構成された女子武道用アンダーウェアであって、上記シャツ部は、その内面にブラジャ機能部を備えていることを特徴とする。
【０００８】
このような構成によれば、選手が着用した際に、ブラジャを着用する必要はなく、アンダーウェアも上下一体となっているので、着用した選手は上記シャツ部がまくれあがる心配をする必要はない。また、もたつきや違和感も軽減され、選手は試合により集中可能となる。
【０００９】
好ましい実施の形態においては、上記シャツ部は、通気性および伸縮性に富んだ材質で形成されており、衿首が丸首衿に形成された白色Ｔシャツの形態を有している。また、上記パンツ部は、通気性および伸縮性に富んだ材質で形成されたスパッツ状である。このような構成によれば、選手が着用した際に、アンダーウェアと身体との一体感がより強まり、違和感を覚えることなく試合に集中可能である。また、伸縮性が高いと、着用の際に有利である。
【００１０】
さらに、好ましい実施の形態においては、上記シャツ部と上記パンツ部とは、一体に繋げられている。また、背部における衿首より下方に、上端から下端まで縦方向に延びるスリットを備え、このスリットには、このスリットを開閉可能なファスナが付属している。あるいは、腰部の背側に、横方向に延びるスリットを備え、このスリットには、このスリットを開閉可能なファスナが付属している。上記パンツ部は、その内面にショーツ機能部を備えていると、より好適である。
【００１１】
このような構成によると、上記スリット部を開き、そこから身体を入れることで、この女子武道用アンダーウェアを着る事が可能となる。着用後は、スリットを閉じることで、アンダーウェアと身体との一体感を維持することが可能である。さらに、内面にショーツ機能部を備えれば、ショーツ等の下着をはく必要がなくなり、着用者は下着のずれ等を気にすることなく試合等を行うことができる。
【００１２】
別の好ましい実施の形態としては、上記パンツ部は、股部が前後に分離、接合可能となっている。ただし、この場合は、背部あるいは腰部のスリットは不要であり、ショーツ機能部を設けることは適切ではない。このような構成によると、股部を前後に分離した状態の女子武道用アンダーウェアを、衿首に頭を通してかぶるようにし、さらに、股部を接合することにより着用可能である。また、上記パンツ部はスパッツ状となるように構成されている。
【００１３】
別の好ましい実施の形態としては、上記シャツ部と上記パンツ部とは、分離形成されており、連結手段によって自在に接合、分離可能であることを特徴とする。上記連結手段として、腰周りを一周するファスナ、または面着ファスナを用いるのが好ましい。
【００１４】
このような構成によると、この女子武道用アンダーウェアは、上記シャツ部と上記パンツ部を別々に着用した後に、上記シャツ部と上記パンツ部を一体とすることができる。すなわち、上記シャツ部を通常のシャツと同様に、衿首に頭を通して着用し、上記パンツ部を通常のパンツと同様に、足を通して着用することができる。さらに、上記の腰周りを一周するファスナ、または上記面着ファスナによって、上記シャツ部と上記パンツ部が一体となる。なお、この場合においても、内面にショーツ機能部を備えれば、ショーツ等の下着をはく必要がなくなり、着用者は下着のずれ等を気にすることなく試合等を行うことができる。
【００１５】
さらに好ましい実施の形態においてはまた、女子武道用アンダーウェアは、上記パンツ部は、腰部支持ベルトを備えている。
【００１６】
このような構成によれば、選手の怪我を予防するとともに、選手が腰に力を入れるのを補助することが可能である。
【００１７】
本考案のその他の特徴および利点は、図面を参照して以下に行う詳細な説明から、より明らかとなろう。
【考案を実施するための最良の形態】
【００１８】
以下、本考案の好ましい実施の形態について具体的に説明する。
【００１９】
図１〜３に本考案の第１実施形態に係る女子武道用アンダーウェアＡ１を示す。図１は女子武道用アンダーウェアＡ１の正面図を示しており、図２および図３は女子武道用アンダーウェアＡ１の背面図を示している。
【００２０】
図１および図２に示すように、女子武道用アンダーウェアＡ１は、上下に一体となっているシャツ部１とパンツ部２とを備えている。
【００２１】
図１に示すように、シャツ部１は、白色Ｔシャツの形状であって、衿首５は丸首衿に形成されており、ブラジャ機能部３を備えている。このブラジャ機能部３は、既存のブラジャを内面に縫い付けるか、あるいは、左右のカップ、背ベルト、さらに必要に応じて肩紐、に相当する部分の素材の厚みや伸縮強度を高めることにより、乳房を保形、保持するように形成されたものである。また、図２に示すように、シャツ部１の背部における衿首５より下方に、上端から下端まで図２中上下方向に延びるスリット６ａを備えている。このスリット６ａには、このスリット６ａを開閉可能なファスナ７ａが付属している。図３に示すように、ファスナ７ａを開くと、スリット６ａを通して女子武道用アンダーウェアＡ１の内部に身体を入れることが可能となる。なお、このシャツ部１は、たとえば、ナイロンやスパンデックス等の通気性および伸縮性に富んだ材質で形成されている。
【００２２】
図１に示すように、パンツ部２は、スパッツ状であり、ショーツ機能部４を備えている。このショーツ機能部４は、既存のショーツを内面にぬいつけてあるか、あるいは、パンツ部２内部の素材の厚みや伸縮強度を高めたり、起伏をつけることにより、生理用ナプキンを固定可能にするなどのショーツとして機能するように形成されたものである。このパンツ部２は、たとえば、ナイロンやスパンデックス等の通気性および伸縮性に富んだ材質で形成されている。
【００２３】
次に女子武道用アンダーウェアＡ１の着用方法および効果について説明する。
【００２４】
着用者は、ファスナ７ａを開き、スリット６ａを図２および図３中の左右方向へ押し広げ、このスリット６ａに足を入れ、パンツ部２を履き、次いでスリット６ａに腕と頭を通してシャツ部１を着ることで着用を行うことができる。また、脱ぐ際には、このスリット６ａを通して上半身を出すことでシャツ部１を脱ぎ、次いでパンツ部２をずり下げていきスリット６ａから足を引き抜くことで、脱ぐことが可能である。女子武道用アンダーウェアＡ１は上記のような伸縮性に富んだ材質で作られているため、このような着脱を容易に行うことが可能である。
【００２５】
女子武道用アンダーウェアＡ１は、選手が激しい動きをしても、シャツ部１がまくれあがったりすることはない。さらに、ブラジャ機能部３およびショーツ４機能部が上下のアンダーウェア内に取り込まれているので、ブラジャやショーツを身につける必要がなく、アンダーウェアのもたつきやずれを感じることがない。加えて、スリット６ａは衿首５より下方に上端が位置するように形成されているので、衿首までファスナが設けられている場合のように、ファスナ７ａがずれ落ちることで衿首５が拡がってしまい、シャツ部１がずれたりする心配もない。このため、女子武道用アンダーウェアＡ１を着用した選手は、アンダーウェアの状態に気をとられることなく、試合や練習に集中することができる。また、女子武道用アンダーウェアＡ１は通気性のよい素材で作られているので、汗がこもり蒸れたりすることなく、快適に着用可能である。
【００２６】
図４および５に本考案の第２実施形態に係る女子武道用アンダーウェアＡ２を示す。図４および図５は女子武道用アンダーウェアＡ２の背面図である。なお、女子武道用アンダーウェアＡ２の正面図は、女子武道用アンダーウェアＡ１のものと同様であるので、省略している。
【００２７】
女子武道用アンダーウェアＡ２は、図４および図５に示すように、一体となっているシャツ部１とパンツ部２とを備えている。また、女子武道用アンダーウェアＡ１と同様に、シャツ部１にブラジャ機能部３を、パンツ部２にショーツ機能部４をそれぞれ備えており、素材等も同様である。
【００２８】
この女子武道用アンダーウェアＡ２は、腰部の背側に、横方向に延びるスリット６ｂを備え、このスリット６ｂには、このスリット６ｂを開閉可能なファスナ７ｂが付属している。
【００２９】
図５に示すように、ファスナ７ｂを開くと、スリット６ｂを通して女子武道用アンダーウェアＡ２の内側が露出する。このため、着用者は、ファスナ７ｂを開き、スリット６ｂを図４および図５中の奥行き方向へ押し広げ、まず、このスリット６ｂに足を入れることでパンツ部２を履くことができる。続いて、スリット６ｂを図中上方向へ押し開き、かつ着用者自身が前方向にかがむ姿勢をとって、スリット６ｂを通してシャツ部１へ頭と腕を入れることで、シャツ部１を着用することができる。女子武道用アンダーウェアＡ２の素材の伸縮性が良ければよいほど、容易に着用が可能となる。
【００３０】
女子武道用アンダーウェアＡ２は、上記の着用手段以外は女子武道用アンダーウェアＡ１と同様の構成であるので、同様の作用を備えている。
【００３１】
図６に本考案の第３実施形態に係る女子武道用アンダーウェアＡ３を示す。図６は女子武道用アンダーウェアＡ３の正面図を示しており、図７は図６のVII-VII線に沿う断面図である。また、図８は、ファスナ７ｃを開いた状態で、パンツ部２を図６の下方から見た場合の女子武道用アンダーウェアＡ３の一部の斜視図である。
【００３２】
女子武道用アンダーウェアＡ３は、図６に示すように、一体となっているシャツ部１とパンツ部２とを備えている。このシャツ部１には、女子武道用アンダーウェアＡ１，Ａ２と同様に、ブラジャ機能部３が備えられている。さらに、図７および図８に示すように、パンツ部２の股部分には、スリット６ｃとファスナ７ｃが形成されている。
【００３３】
この女子武道用アンダーウェアＡ３は、図６に示すように、両太股の内側および股部に沿うようにスリット６ｃおよびファスナ７ｃを備えている。ファスナ７ｃを開くと、図８に示すように、スリット６ｃにより、パンツ部２は下方に向けて開かれた状態となる。このため、シャツ部１は、パンツ部２の下方から頭を入れ、衿首５から頭を出すことで、着用することができる。シャツ部１を着用後にファスナ７ｃを閉じることで、パンツ部２はスパッツ状となり、運動に適した形状となる。
【００３４】
女子武道用アンダーウェアＡ３は、上記の構造上、女子武道用アンダーウェアＡ１およびＡ２の場合と異なり、内部にショーツ機能部４を備えることは好ましくないので、別途に用意する必要がある。しかし、シャツ部１にブラジャ機能部３が備わっており、また、シャツ部１とパンツ部２も一体となっているので、女子武道用アンダーウェアＡ３はアンダーウェアのずれやもたつきは十分に小さい。しかも、股部にスリット６ｃおよびファスナ７ｃが取り付けられているので、たとえば、着用者がトイレに行く際には、ファスナ７ｃを開くことで、容易に用を足すことが可能である。
【００３５】
上記の実施例では、スリット６ｃを開閉する手段としてチャックを用いたファスナ７ｃを挙げたが、面着ファスナやフックなどを用いてもよい。
【００３６】
図９および１０に本考案の第４実施形態に係る女子武道用アンダーウェアＡ４を示す。図９および図１０は女子武道用アンダーウェアＡ４の正面図である。
【００３７】
女子武道用アンダーウェアＡ４は、図９に示すように、シャツ部１とパンツ部２とを備えている。さらに、女子武道用アンダーウェアＡ１，Ａ２と同様に、この女子武道用アンダーウェアＡ４は、シャツ部１にブラジャ機能部３を、パンツ部２にショーツ機能部４をそれぞれ備えている。素材等も上記の実施形態と同様である。さらに、このシャツ部１とパンツ部２の境界にはファスナ８が取り付けられている。このファスナ８を全開とすると、図１０に示すようにシャツ部１とパンツ部２が分離するように構成されている。分離されたシャツ部１の図１０中の下端にはファスナ８の一片８ａが形成されている。一方、分離されたパンツ部２の図１０中の上端にはファスナ８の一片８ｂが形成されている。これらファスナ８の両辺８ａと８ｂとを合わせてファスナ８を閉じることで、シャツ部１とパンツ部２は一体となる。
【００３８】
シャツ部１はブラジャ機能部３を備えており、パンツ部２はショーツ機能部４を備えているので、シャツ部１とパンツ部２を一体としたとき、この女子武道用アンダーウェアＡ４はアンダーウェアの構成要素が一体となった構造となる。すなわち、女子武道用アンダーウェアＡ１およびＡ２と同様に、下着のずれやもたつきを気にする必要がないアンダーウェアとなっている。しかも、シャツ部１とパンツ部２が分割可能なので、それぞれを容易に着用することができる。また、ファスナ８を開くことで容易に分割し、容易にシャツ部１とパンツ部２を別々に脱ぐことも可能である。
【００３９】
図１１および図１２に本考案の第５実施形態に係る女子武道用アンダーウェアＡ５を示す。図１１および図１２は女子武道用アンダーウェアＡ５の正面図である。
【００４０】
女子武道用アンダーウェアＡ５は、図１１に示すように、シャツ部１とパンツ部２とを備えている。また、女子武道用アンダーウェアＡ４と同様に、シャツ部１にブラジャ機能部３を、パンツ部２にショーツ機能部４を備えている。なお、素材についても上記の実施形態と同様である。さらに、このシャツ部１とパンツ部２の境界には面着ファスナ９が取り付けられている。すなわち、女子武道用アンダーウェアＡ５は、女子武道用アンダーウェアＡ４ではチャックを用いたファスナ８を用いていたのに対して、面着ファスナ９を使用している。その他の構造は女子武道用アンダーウェアＡ４と同様である。
【００４１】
面着ファスナ９を使用しているため、女子武道用アンダーウェアＡ５は、女子武道用アンダーウェアＡ４の場合よりも、より容易にシャツ部１とパンツ部２をつけ外し可能となっている。図１２にシャツ部１とパンツ部２とを分割した状態の女子武道用アンダーウェアＡ５を示している。面着ファスナ９のうち、シャツ部１側のものを面着ファスナ９ａとし、パンツ部２側のものを面着ファスナ９ｂとする。たとえば、面着ファスナ９ａの裏側と面着ファスナ９ｂの表側が面着する場合に、パンツ部２を履いた後にシャツ部１を着ると、面着ファスナ９ｂに面着ファスナ９ａを重ねるのは大変容易である。
【００４２】
図１３に本考案の第６実施形態に係る女子武道用アンダーウェアＡ６を示す。図１３は女子武道用アンダーウェアＡ６の正面図である。
【００４３】
図１３に示すように、女子武道用アンダーウェアＡ６は、女子武道用アンダーウェアＡ５の腰周りに、腰部支持ベルト１０を備えた構造をしている。このため、女子武道用アンダーウェアＡ６は、女子武道用アンダーウェアＡ５の効果に加えて、腰部支持ベルト１０による腰部保護機能を備えている。すなわち、選手の怪我を予防し、選手が腰に力を入れやすくなっている。なお、この腰部支持ベルト１０は、女子武道用アンダーウェアＡ５に限らず、女子武道用アンダーウェアＡ１，Ａ２，Ａ３，Ａ４のいずれにも取り付けてもよい。
【００４４】
本考案に係る女子武道用アンダーウェアは、上述した実施形態に限定されるものではない。本考案に係る女子武道用アンダーウェアの各部の具体的な構成は、様々に設計変更自在である。
【図面の簡単な説明】
【００４５】
【図１】本考案の第１実施形態に係る女子武道用アンダーウェアＡ１の正面図である。
【図２】本考案の第１実施形態に係る女子武道用アンダーウェアＡ１の背面図である。
【図３】本考案の第１実施形態に係る女子武道用アンダーウェアＡ１の背面図である。
【図４】本考案の第２実施形態に係る女子武道用アンダーウェアＡ２の背面図である。
【図５】本考案の第２実施形態に係る女子武道用アンダーウェアＡ２の背面図である。
【図６】本考案の第３実施形態に係る女子武道用アンダーウェアＡ３の正面図である。
【図７】図６のVII-VII線に沿う断面図である。
【図８】本考案の第３実施形態に係る女子武道用アンダーウェアＡ３の一部斜視図である。
【図９】本考案の第４実施形態に係る女子武道用アンダーウェアＡ４の正面図である。
【図１０】本考案の第４実施形態に係る女子武道用アンダーウェアＡ４の正面図である。
【図１１】本考案の第５実施形態に係る女子武道用アンダーウェアＡ５の正面図である。
【図１２】本考案の第５実施形態に係る女子武道用アンダーウェアＡ５の正面図である。
【図１３】本考案の第６実施形態に係る女子武道用アンダーウェアＡ６の正面図である。
【符号の説明】
【００４６】
Ａ１,Ａ２,Ａ３,Ａ４,Ａ５,Ａ６   女子武道用アンダーウェア
１                              シャツ部
２                              パンツ部
３                              ブラジャ機能部
４                              ショーツ機能部
５                              衿首
６ａ,６ｂ,６ｃ                  スリット
７ａ,７ｂ,７ｃ,８               ファスナ
９                              面着ファスナ
１０                            腰部支持ベルト  
【図１】
0003118857.tif 000003
【図２】
0003118857.tif 000004
【図３】
0003118857.tif 000005
【図４】
0003118857.tif 000006
【図５】
0003118857.tif 000007
【図６】
0003118857.tif 000008
【図７】
0003118857.tif 000009
【図８】
0003118857.tif 000010
【図９】
0003118857.tif 000011
【図１０】
0003118857.tif 000012
【図１１】
0003118857.tif 000013
【図１２】
0003118857.tif 000014
【図１３】
0003118857.tif 000015